(57)【要約】【課題】マルチチャンネルサラウンド音声を音響再生する場合において、チャンネル数よりも少ないスピーカでよく、かつ、大音量で再生しても隣家などへの音の伝播を軽減することができる音響再生システムを提供する。【解決手段】リスナの両耳の近傍に、スピーカユニット１１ＳＷ１、１１ＳＷ２を、その振動板の前後から出る音が加算可能なように、バッフル板に取り付けることなく、保持手段により保持する。このスピーカユニット１１ＳＷ１、１１ＳＷ２で音響再生したときに、リスナが他のスピーカ装置から音声が放音されたように聴取するように入力音声信号を仮想音源処理して、スピーカユニットに供給する音声信号出力手段を設ける。【選択図】図１
2006345480.tif 000002
【特許請求の範囲】
【請求項１】
スピーカユニットと、
前記スピーカユニットの振動板の前後から出る音が加算可能なように、前記スピーカユニットを、バッフル板に取り付けることなく、リスナの耳の近傍に配置するようにする保持する保持手段と、
前記スピーカユニットで音響再生したときに、リスナが他のスピーカ装置から音声が放音されたように聴取するように入力音声信号を仮想音源処理して、前記スピーカユニットに供給する音声信号出力手段と、
を備えることを特徴とする音響再生システム。
【請求項２】
マルチチャンネルサラウンド音声を音響再生する請求項１に記載の音響再生システムであって、
前記音声信号出力手段は、前記マルチチャンネルサランド音声のうちの後方チャンネルの音声信号を前記スピーカユニットで音響再生したときに、リスナの後方に配置されたスピーカ装置から音声が放音されたように聴取するように、前記後方チャンネルの音声信号を仮想音源処理して、前記スピーカユニットに供給する
ことを特徴とする音響再生システム。
【請求項３】
マルチチャンネルサラウンド音声を音響再生する請求項１に記載の音響再生システムであって、
前記音声信号出力手段は、前記マルチチャンネルサランド音声のうちの前方チャンネルの音声信号を前記スピーカユニットで音響再生したときに、リスナの前方に配置されたスピーカ装置から音声が放音されたように聴取するように、前記前方チャンネルの音声信号を仮想音源処理して、前記スピーカユニットに供給する
ことを特徴とする音響再生システム。
【請求項４】
マルチチャンネルサラウンド音声を音響再生する請求項１に記載の音響再生システムであって、
前記音声信号出力手段は、前記マルチチャンネルサランド音声のうちの前方チャンネルの音声信号を前記スピーカユニットで音響再生したときに、リスナの前方に配置されたスピーカ装置から音声が放音されたように聴取するように、前記前方チャンネルの音声信号を仮想音源処理して、前記スピーカユニットに供給すると共に、前記マルチチャンネルサランド音声のうちの後方チャンネルの音声信号を前記スピーカユニットで音響再生したときに、リスナの後方に配置されたスピーカ装置から音声が放音されたように聴取するように、前記後方チャンネルの音声信号を仮想音源処理して、前記スピーカユニットに供給する
ことを特徴とする音響再生システム。
【請求項５】
マルチチャンネルサラウンド音声を音響再生する請求項２〜請求項４のいずれかに記載の音響再生システムであって、
前記スピーカユニットは、前記マルチチャンネルサラウンド音声の低域音声信号が供給される低域用スピーカユニットである
ことを特徴とする音響再生システム。
【請求項６】
請求項１に記載の音響再生システムにおいて、
前記保持手段により、前記スピーカユニットが、リスナが座る椅子に取り付けられてなる
ことを特徴とする音響再生システム。
【請求項７】
請求項１〜６のいずれかに記載の音響再生システムにおいて、
前記スピーカユニットは、少なくとも、リスナの左右の耳に対向した２個を設ける
ことを特徴とする音響再生システム。
【請求項８】
請求項７に記載の音響再生システムにおいて、
前記スピーカユニットは、前記保持手段により、リスナの顔面よりも後方の空間範囲に配置される
ことを特徴とする音響再生システム。
【請求項９】
請求項３に記載の音響再生システムにおいて、
前記保持手段により、前記マルチチャンネルサランド音声の内の、後方チャンネルの音声信号用スピーカがさらに保持される
ことを特徴とする音響再生システム。
【請求項１０】
スピーカユニットの振動板の前後から出る音が加算可能なように、前記スピーカユニットを、バッフル板に取り付けることなく、リスナの耳の近傍に配置し、
前記スピーカユニットで音響再生したときに、リスナが他のスピーカ装置から音声が放音されたように聴取するように入力音声信号を仮想音源処理して、前記スピーカユニットに供給する
ことを特徴とする音響再生方法。
【請求項１１】
マルチチャンネルサラウンド音声を音響再生する請求項１０に記載の音響再生方法であって、
前記マルチチャンネルサランド音声のうちの後方チャンネルの音声信号を前記スピーカユニットで音響再生したときに、リスナの後方に配置されたスピーカ装置から音声が放音されたように聴取するように、前記後方チャンネルの音声信号を仮想音源処理して、前記スピーカユニットに供給する
ことを特徴とする音響再生方法。
【請求項１２】
マルチチャンネルサラウンド音声を音響再生する請求項１０に記載の音響再生方法であって、
前記マルチチャンネルサランド音声のうちの前方チャンネルの音声信号を前記スピーカユニットで音響再生したときに、リスナの前方に配置されたスピーカ装置から音声が放音されたように聴取するように、前記前方チャンネルの音声信号を仮想音源処理して、前記スピーカユニットに供給する
ことを特徴とする音響再生方法。
【請求項１３】
マルチチャンネルサラウンド音声を音響再生する請求項１０に記載の音響再生方法であって、
前記マルチチャンネルサランド音声のうちの前方チャンネルの音声信号を前記スピーカユニットで音響再生したときに、リスナの前方に配置されたスピーカ装置から音声が放音されたように聴取するように、前記前方チャンネルの音声信号を仮想音源処理して、前記スピーカユニットに供給すると共に、前記マルチチャンネルサランド音声のうちの後方チャンネルの音声信号を前記スピーカユニットで音響再生したときに、リスナの後方に配置されたスピーカ装置から音声が放音されたように聴取するように、前記後方チャンネルの音声信号を仮想音源処理して、前記スピーカユニットに供給する
ことを特徴とする音響再生方法。
【請求項１４】
マルチチャンネルサラウンド音声を音響再生する請求項１１〜請求項１３のいずれかに記載の音響再生方法であって、
前記スピーカユニットは、前記マルチチャンネルサラウンド音声の低域音声信号が供給される低域用スピーカユニットである
ことを特徴とする音響再生方法。
【発明の詳細な説明】
【技術分野】
【０００１】
この発明は、例えば５．１チャンネルなどのようなマルチチャンネルサラウンド音声方式の音声信号を再生する場合に使用して好適な音響再生方法および音響再生システムに関する。
【背景技術】
【０００２】
ホームシアターシステムと呼ばれる映像音響再生システムが普及しつつある。この映像音響再生システムにおいては、例えばＤＶＤ（Ｄｉｇｉｔａｌ  Ｖｅｒｓａｔｉｌｅ  Ｄｉｓｃ）からの映像再生は、比較的大画面のディスプレイに表示して行なうと共に、音響再生は、マルチチャンネルサラウンド音声方式、最近は、５．１チャンネル方式を採用して、迫力のある映像および音響再生ができるようにしている。
【０００３】
５．１チャンネル方式の音響再生システムでは、リスナの前方（以下フロントという）、リスナの正面（以下センターという）、リスナの後方（以下リアという）、低域専用と、４種類のスピーカが必要で、低域専用のスピーカであるサブウーハは、本来、１００Ｈｚ以下の帯域をモノラルで受け持っている。その他のスピーカは、１００Ｈｚから２０ｋＨｚを受け持つ。
【０００４】
従来、５．１チャンネル方式の音響再生システムにおけるスピーカ配置は、図３１に示すようなものとされている。すなわち、図３１に示すように、リスナ４の前方の、左側にフロント左チャンネル用スピーカ１０ＦＬが、右側にフロント右チャンネル用スピーカ１０ＦＲが、また、正面にセンターチャンネル用スピーカ１０Ｃが、それぞれ配置される。
【０００５】
また、リスナ４の後方の、左側にリア左チャンネル用スピーカ１０ＲＬが、右側にリア右チャンネル用スピーカ１０ＲＲが、それぞれ配置される。さらに、適宜の位置に、ＬＦＥ（Ｌｏｗ  Ｆｒｅｑｕｅｎｃｙ  Ｅｆｆｅｃｔ）チャンネル用（低域専用）のサブウーハスピーカ１０ＳＷが配置される。
【０００６】
これらの６個のスピーカ１０ＦＬ，１０ＦＲ，１０Ｃ，１０ＲＬ，１０ＲＲ，１０ＳＷは、それぞれスピーカボックス（箱）に取り付けられて、それぞれの位置に配置される。通常、前後の６個のスピーカは、リスナ４との距離ｄｓが、例えば２メートル程度とされて配置されることが多い。
【０００７】
従来の音響再生システムでは、例えば１５リットル程度のスピーカボックスが利用されていたフロント左右チャンネル用のスピーカは、１リットル前後の小さなボックスに変わり、サテライトスピーカとも呼ばれている。当然低域は出ないので、それを補助するためにサブウーハと呼ばれる低域専用のスピーカが1個追加されている。このように、サブウーハ以外のスピーカを小型のボックスとした場合には、サブウーハ１０ＳＷに供給する音声信号のクロスオーバ周波数は、１５０Ｈｚと、前記の１００Ｈｚよりも若干高めになっていることも多いが、かなり低い周波数であることには変わりはない。
【０００８】
このような配置のスピーカシステムで、ＤＶＤからの５，１チャンネルの音声信号を再生すると、当然のことであるが充分な低音が再生される。しかも、低域専用に再生側も特別にチャンネルを設けているので、映画などのソースでは従来にないほどの重低音が部屋中に響きわたり、迫力のある臨場感を得ることができる。
【０００９】
しかしながら、家が小さな日本の家屋では、マルチチャンネルサラウンド音声を音響再生するための上述したような６個のスピーカを配置するスペースを確保することができないという問題と、外部への音漏れによる騒音の問題がある。
【００１０】
すなわち、通常の５．１チャンネルのスピーカ構成では、ＤＶＤの映像音響鑑賞において、迫力ある音を再生するためには、９０ｄＢ程度以上の音量を必要とする。したがって、リスナがマルチチャンネルサラウンドの効果を良好に得ようとした場合には、外部への騒音の問題を考慮する必要が生じる。
【００１１】
この時、一般に、高域の音は遮音が容易で、壁とかドア１枚でかなりの音を減衰させることが可能である。しかしながら、例えば１００Ｈｚ以下のような低域の音の場合には、遮音は簡単にできず、家が小さな日本の家屋では、この低域の音を遮るほど部屋の広さがとれないことが多い。特にサブウーハが受け持つ５０Ｈｚ、４０Ｈｚといった低音は、響き、かなりの範囲に音が伝播されることになる。
【００１２】
このため、サブウーハから音が再生されたときに、隣の部屋はもちろん、上下の部屋まで音が届いて迷惑をかけるおそれがある。特に低い帯域の音ほど遮音が難しく、サブウーハは、日本の住宅事情では大きな問題であり、せっかくの５．１チャンネルの音響再生システムも、充分使いきることが出来ない現状がある。
【００１３】
この問題点を解決するため、特許文献１（特開平５−９５５９１号公報）には、中高音は小型スピーカ（スピーカユニットがスピーカボックスに収納されるタイプ）で音響再生し、低音域は低音用ヘッドホンや骨伝導で、リスナの耳の近傍で音響再生するようにした音響再生システムが提案されている。
【００１４】
この特許文献１の技術によれば、低音はヘッドホンや骨伝導でリスナの耳の近傍で音響再生されるので、リスナには大音量に聴こえても、隣家には伝わらないようにすることができる。
【００１５】
上記の特許文献は、次の通りである。
【特許文献１】特開平５−９５５９１号公報
【発明の開示】
【発明が解決しようとする課題】
【００１６】
しかしながら、上記の特許文献１の発明では、低域の音を耳の近傍で再生するものであっても、スピーカではなく、ヘッドホンや骨伝導を利用した振動体とされている。スピーカ以外の振動体で、スピーカと同等の低域感を得ることは、個人差もあるが、一般的に受け入れられるほど素直な感覚ではないと思われる。また、リスナはヘッドホンや骨伝導用のヘッドセットを装着しなければならず、煩わしいという問題もある。
【００１７】
さらには、特許文献１の発明では、低域の音に関する騒音の問題は軽減されるが、多数個のスピーカを狭いスペースに配置しなければならないという問題は、特許文献１の発明では解決されていない。
【００１８】
この発明は、以上の点にかんがみ、マルチチャンネルサラウンド音声を音響再生する場合において、チャンネル数よりも少ないスピーカでよく、かつ、大音量で再生しても隣家などへの音の伝播を軽減することができる音響再生方法および音響再生システムを提供することを目的とする。
【課題を解決するための手段】
【００１９】
上記の課題を解決するために、この発明は、
スピーカユニットと、
前記スピーカユニットの振動板の前後から出る音が加算可能なように、前記スピーカユニットを、バッフル板に取り付けることなく、リスナの耳の近傍に配置するようにする保持する保持手段と、
前記スピーカユニットで音響再生したときに、リスナが他のスピーカ装置から音声が放音されたように聴取するように入力音声信号を仮想音源処理して、前記スピーカユニットに供給する音声信号出力手段と、
を備えることを特徴とする音響再生システムを提供する。
【００２０】
この発明においては、スピーカユニットは、リスナの耳の近傍に保持されるように構成されているので、リスナには大音量に聴こえるようにすることができる。
【００２１】
そして、そのスピーカユニットはバッフル板に取り付けられていないため、音響再生された音声は、スピーカユニットの振動板の前後から放音される。スピーカユニットの振動板の前と後から出てくる音は、互いに反対の位相（逆位相）となるので、外部に伝播する音は互いに打ち消し合って、減衰される。特に低域ほど、この減衰が大きく、隣家に伝播される音声、特に低域音声は著しく軽減される。
【００２２】
そして、この発明においては、このスピーカユニットにより、例えばマルチチャンネルサラウンド音声のフロントチャンネルの音声やリアチャンネルの音声が、仮想音源処理されて供給されて、それらのフロントチャンネルやリアチャンネルの音声が、音響再生される。このため、フロントチャンネル用スピーカやリアチャンネル用スピーカを設ける必要が無くなるという効果を奏する。
【発明の効果】
【００２３】
この発明によれば、リスナの耳の近傍に配置したスピーカユニットより音響再生するようにするので、大音量で再生しても、隣家などへの低域の音の伝播を軽減することができる。しかも、前記スピーカユニットは、仮想音源処理した音声信号を供給するようにするので、例えばマルチチャンネルサラウンド音声のフロントチャンネルの音声やリアチャンネルの音声を、仮想的に、このスピーカユニットで再生することができ、少ないスピーカでマルチチャンネルサラウンド音声を音響再生することができる。
【発明を実施するための最良の形態】
【００２４】
以下、この発明による音響再生システムのいくつかの実施形態を、前述した５．１チャンネル方式のマルチチャンネルサラウンド音声を音響再生する場合を例に、図を参照しながら説明する。
【００２５】
［第１の実施の形態］
この第１の実施の形態は、ＤＶＤプレーヤで再生された映像信号および音声信号を用いて、また、テレビ受像機で受信したデジタル放送信号を用いて、映像監視および５．１チャンネルのサラウンド音声聴取を行う場合の例である。
【００２６】
図１は、この第１の実施の形態による音響再生システムの概要を示す図である。
【００２７】
図１に示すように、この第１の実施の形態の音響再生システムは、２個のスピーカ１１ＦＬおよび１１ＦＲを具備するテレビ受像機１と、ＤＶＤプレーヤ２と、音声信号出力装置部３と、ユーザ４の両耳の近傍に設けられる２個のスピーカ１１ＳＷ１および１１ＳＷ２とを備えて構成されている。
【００２８】
この第１の実施の形態では、５．１チャンネルサラウンド音声のうちのフロント左右２チャンネルの音声再生用として、テレビ受像機１の２個のスピーカ１１ＦＬおよび１１ＦＲを用いる。この２個のスピーカ１１ＦＬおよび１１ＦＲは、テレビ受像機１に内蔵されていてもよいし、また、テレビ受像機１とは分離独立して設けられていても良い。
【００２９】
また、この第１の実施の形態では、ユーザ４の両耳の近傍に設けられる２個のスピーカ１１ＳＷ１および１１ＳＷ２は、５．１チャンネルサラウンド音声のうちの低域音声再生用、すなわち、サブウーハとされる。そして、この第１の実施の形態では、このサブウーハとなる２個のスピーカ１１ＳＷ１および１１ＳＷ２に、後述するように、５．１チャンネルサラウンド音声のうちのリア左右２チャンネル音声の音声信号が、音声信号出力装置部３において仮想音源処理されて供給される。
【００３０】
テレビ受像機１は、デジタル放送信号を受信することができる機能を備え、受信したデジタル放送信号から、デジタル放送番組の映像信号および音声信号を再生し、テレビ受像機１の表示画面１Ｄに、デジタル放送番組の再生映像を表示すると共に、スピーカ１１ＦＬおよび１１ＦＲによりデジタル放送番組の再生音声を音響再生する。
【００３１】
この場合、デジタル放送番組の音声がマルチチャンネルサラウンド音声であるときには、スピーカ１１ＦＬおよび１１ＦＲから放音されるデジタル放送番組の再生音声は、フロント左右２チャンネルの音声に、センターチャンネル、リア左右２チャンネルなどの音声が含まれている。
【００３２】
そして、この実施の形態では、テレビ受像機１で受信されて再生された音声信号Ａｕ１は、音声信号出力装置部３に供給される。
【００３３】
ＤＶＤプレーヤ２は、ＤＶＤに記録されている映像信号および音声信号を再生して出力する。この例では、ＤＶＤプレーヤ２で再生された映像信号Ｖｉは、テレビ受像機１に供給されて、表示画面１Ｄに、前記再生映像信号Ｖｉによる再生映像が表示される。また、ＤＶＤプレーヤ２で再生された音声信号Ａｕ２は、この例では、音声信号出力装置部３に供給される。
【００３４】
音声信号出力装置部３は、この実施の形態では、５．１チャンネルのマルチチャンネルサラウンド音声方式に対応するデコード機能を備え、テレビ受像機１で受信したデジタル放送番組の音声を５．１チャンネルサラウンド音声で再生する際には、ユーザ４の両耳の近傍に設けられる第１および第２のスピーカ１１ＳＷ１および１１ＳＷ２に供給する音声信号を生成して、それぞれ対応する各スピーカに供給するようにする。
【００３５】
また、音声信号出力装置部３は、ＤＶＤプレーヤ２で再生した映像および音声の再生時には、ユーザ４の両耳の近傍に設けられる第１および第２のスピーカ１１ＳＷ１および１１ＳＷ２に供給する音声信号のみではなく、テレビ受像機１の左右２チャンネル用の２個のスピーカ１１ＦＬおよび１１ＦＲに供給する音声信号を生成し、それぞれ対応する各スピーカに供給するようにする。
【００３６】
この第１の実施の形態では、音声信号出力装置部３は、テレビ受像機１の左右２チャンネル用の２個のスピーカ１１ＦＬおよび１１ＦＲに対しては、（フロント左チャンネルの音声信号Ｌ＋センターチャンネルの音声信号Ｃ）および（フロント右チャンネルの音声信号Ｒ＋センターチャンネルの音声信号Ｃ）を供給する。
【００３７】
また、音声信号出力装置部３は、リスナ４の両耳の近傍の２個のスピーカ１１ＳＷ１および１１ＳＷ２に対しては、後述するいわゆる仮想音源処理されたリア左チャンネルの音声信号ＲＬ＊＋低域音声信号ＬＦＥおよび仮想音源処理されたリア右チャンネルの音声信号ＲＲ＊＋低域音声信号ＬＦＥを供給する。
【００３８】
［第１の実施の形態のスピーカ配置例］
次に、図２に、以上説明したこの実施の形態における音響再生システムにおけるスピーカ配置例を説明する。
【００３９】
図２に示すように、この実施形態においては、リスナ４の前方の、左側にフロント左チャンネル用スピーカ１１ＦＬが、右側にフロント右チャンネル用スピーカ１１ＦＲが、それぞれ配置される。
【００４０】
これらのスピーカ１１ＦＬ，１１ＦＲは、この例では、テレビ受像機１に内蔵されているので、例えば小型のスピーカボックス１２ＦＬ，１２ＦＲの前面側（例えばテレビ受像機の前面パネル）をバッフル板として、それぞれ用のスピーカユニット１３ＦＬ，１３ＦＲが取り付けられたもので構成されている。これらのスピーカ１１ＦＬ，１１ＦＲは、どのチャンネルかを区別する必要がないときには、以下、フロントスピーカと称する。
【００４１】
そして、この実施形態では、リスナ４の左右の耳の近傍において、２個のスピーカ１１ＳＷ１および１１ＳＷ２が、その振動板がそれぞれの耳に対向するように、リスナ４の頭部を挟んで配置される。そして、これら２個のスピーカ１１ＳＷ１および１１ＳＷ２は、そのスピーカユニットの振動板の前後から放射される音が混合可能となるように、当該スピーカユニットはスピーカボックスには収納されてはおらず、かつ、バッフル板に取り付けられてもいない。
【００４２】
そして、この実施の形態では、リスナ４の両耳の近傍の２個のスピーカ１１ＳＷ１および１１ＳＷ２には、ＬＦＥチャンネルの低域音声信号が共通に供給され、これらスピーカ１１ＳＷ１および１１ＳＷ２から同相でＬＦＥチャンネルの低域音が放音されるようにされている。したがって、この実施の形態では、スピーカ１１ＳＷ１および１１ＳＷ２は、サブウーハとなる。以下、このスピーカ１１ＳＷ１および１１ＳＷ２をサブウーハと呼ぶことにする。
【００４３】
このように構成される結果、ＬＦＥチャンネルの低域音は、リスナ４の両耳の近傍で放音されるため、リスナ４には大音量で聴取されるが、リスナ４から離れた位置では、サブウーハ１１ＳＷ１，１１ＳＷ２のスピーカユニットの振動板の前と後から出てくる音が、互いに１８０度位相が異なり、互いに打ち消し合うため、殆ど聴取されないようになる。これにより、従来のように低域の音が隣家にまで伝播して、迷惑をかけてしまうという事態を防止することができる。
【００４４】
低域の音の減衰を確かめるために、無響室において、図３に示すように、サブウーハ用とされる例えば１７センチメートルの口径のスピーカユニット１１ＳＷからの音を、スピーカユニット１１ＳＷから距離ｄだけ離れた位置のマイクロホン１４で収音して、その音圧レベルの周波数特性を測定したところ、図４に示すようなものとなった。この場合、スピーカユニット１１ＳＷは、ボックスに収納したり、バッフル板に取り付けたりされてはいない。
【００４５】
図４における４個の周波数特性曲線は、同図に示すように、前記スピーカユニット１１ＳＷとマイクロホン１４との距離ｄが、それぞれｄ＝１０センチメートル、ｄ＝２０センチメートル、ｄ＝４０センチメートル、ｄ＝８０センチメートルの時のものである。
【００４６】
この図４から、スピーカユニットをボックスに入れない構成にすると、１ｋＨｚ以下の音はかなり減衰することが分かり、特に低域の音になるほどその減衰量が大きいことが確かめられた。
【００４７】
そして、この実施形態の場合、２個のサブウーハ１１ＳＷ１，ＳＷ２と、リスナ４の左耳、右耳との間のそれぞれの距離ｄｓｗは、低域の音がリスナ４の耳にそれほど減衰されること無く伝達される距離、この例では、ｄｓｗ＝２０センチメートル程度とされる。
【００４８】
例えば、サブウーハ２ＳＷとリスナ４の耳までの距離を２メートルとした一般的なものに対して、この実施形態では、サブウーハ１１ＳＷ１，１１ＳＷ２とリスナ４の両耳のそれぞれとの距離は、２０センチメートルとした場合、この実施形態の場合には、従来のものと比較して距離が１／１０になる。
【００４９】
このために、この実施形態において、リスナ４が同じ音圧を感じるために必要なエネルギーは、上述の一般的なものの場合の１/１００でよいことになる。つまり、上述の一般的な例で仮に１００Ｗ（ワット）のアンプを必要としていた場合には、この実施形態の場合には、１Ｗのアンプでも同じ音圧を感じることになる。
【００５０】
この実施形態では、スピーカに供給する音声信号出力の違いによるだけでも音の拡散が小さい上に、低い音、例えば２０Ｈｚ,３０Ｈｚ,４０Ｈｚ当たりになると、位相の点でキャンセルし、サブウーハのスピーカユニットのごく近傍以外ではほとんど音は聴こえなくなる。その一方で、ＤＶＤソフトに含まれる迫力ある音響効果は、この低音の帯域に大きなエネルギーを収録することで得るようにしてあるため、防音の効果はより大きくなる。
【００５１】
以上の構成により、低域音のみに注目して、当該低域音のみを減衰させることを考えた場合には、十分に効果が得られる。なお、同様にして、スピーカ１１ＳＷ１および１１ＳＷ２から、低域音以外の音を音響再生して放音する場合にも、上述と同様の防音効果を得ることができることは言うまでもない。
【００５２】
５．１チャンネルサラウンド音声の場合、さらにセンターチャンネルの音声およびリア左右２チャンネルの音声がある。従来は、センターチャンネルの音声用スピーカ１１Ｃは、図２で、リスナ４の前方において点線で示すように、スピーカボックス１２Ｃの前面側をバッフル板として、スピーカユニット１３Ｃが取り付けられたものが、図示のように、リスナ４の前面側に配置される。
【００５３】
同様に、従来は、リア左右２チャンネルの音声用スピーカ１１ＲＬおよび１１ＲＲは、図２で、リスナ４の後方において点線で示すように、小型のスピーカボックス１２ＲＬおよびＲＲのそれぞれに、当該スピーカボックスの前面側をバッフル板として取り付けられたリア用のスピーカユニット１３ＲＬおよび１３ＲＲが配置されるものである。
【００５４】
しかし、この実施の形態では、センターチャンネルの音声およびリア左右２チャンネルの音声は、それら専用のスピーカ１１Ｃや１１ＲＬ，１１ＲＲを設けずに、前述したようにして、テレビ受像機の２個のスピーカ１１ＦＬ，１１ＦＲおよびリスナ４の両耳近傍の２個のスピーカ１１ＳＷ１および１１ＳＷ２により、音響再生するようにする。
【００５５】
すなわち、センターチャンネルの音声信号Ｃは、フロント左右２チャンネルの音声信号ＬおよびＲにそれぞれ加算して、スピーカ１１ＦＬ，１１ＦＲのそれぞれに供給して、これらスピーカ１１ＦＬ，１１ＦＲにより音響再生するようにする
また、リア左チャンネルの音声信号ＲＬは仮想音源処理した音声信号ＲＬ＊とし、リスナ４の左耳に対向するスピーカ１１ＳＷ１に供給して音響再生する。さらに、リア右チャンネルの音声信号ＲＲは仮想音源処理した音声信号ＲＲ＊とし、リスナ４の右耳に対向するスピーカ１１ＳＷ２に供給して音響再生する。
【００５６】
上述したように、スピーカ１１ＳＷ１および１１ＳＷ２は、リスナ４の耳までの距離が小さいので、リア左右２チャンネル音声信号ＲＬおよびＲＲについても、その音域での放射エネルギーを小さくして、防音に寄与させることができる。
【００５７】
そして、リスナ４の耳元近くに配置したサブウーハ１１ＳＷ１，１１ＳＷ２により、仮想音源処理したリア左右２チャンネルの音声を音響再生することは、元々、リア左右２チャンネル音声は、リスナ４の背面からの残響音等が主な音源であるため、それほど定位位置が重要でないことから、省スピーカ、低騒音を実現しながら、良好なサラウンド音声を得ることができるという効果がある。
【００５８】
また、上述もしたように、サブウーハ１１ＳＷ１，１１ＳＷ２の音圧は、当該サブウーハ１１ＳＷ１，１１ＳＷ２とリスナ４の耳との間の距離ｄｓｗが、一般的な例の２メートルに比べ２０センチメートルになることで２０ｄＢ下げることができるので、リア左右２チャンネル音声信号ＲＬ，ＲＲについても同様とすることができて、省エネルギーを実現することができる。
【００５９】
以上のことを考慮した、スピーカ配置の例としては、例えばマッサージチェアのような構造の椅子に、それぞれスピーカを設置する方法が考えられる。
【００６０】
図５は、その場合の一例であり、前述したリスナ４の両耳の近傍に配置されるべき２個のスピーカ１１ＳＷ１，１１ＳＷ２が、椅子に装着された構造とされたものを示す図である。
【００６１】
すなわち、この例においては、例えば、椅子２０は、飛行機のビジネスクラスのシートのような構造で、椅子２０の背もたれ部２１の頂部２１ａに、スピーカ保持具２２が取り付けられ、このスピーカ保持具２２に、サブウーハ１１ＳＷ１，１１ＳＷ２が取り付けられて保持される。
【００６２】
図６（Ａ），（Ｂ）は、スピーカ保持具２２の一例を示す図である。このスピーカ保持具２２は、例えばアルミニュームなどの金属からなるパイプ２２１により構成されている。図６（Ｂ）に示すように、パイプ２２１は扁平のリング状に構成され、そのリングにより形成される空間に、サブウーハ１１ＳＷ１，１１ＳＷ２と、さらに補助用のサブウーハ１１ＳＷ３，１１ＳＷ４とが固定保持される構造となっている。
【００６３】
補助用のサブウーハ１１ＳＷ３，１１ＳＷ４は、リスナ４の耳の横に配置されているサブウーハ１１ＳＷ１，１１ＳＷ２のみでは、聴感状、低域の音がパワー不足と感じられる場合があるので、当該パワー不足を補充するためのもので、これら補助用のサブウーハ１１ＳＷ３，１１ＳＷ４は必須のものではない。
【００６４】
なお、これらの補助用のサブウーハ１１ＳＷ３，１１ＳＷ４には、この実施の形態では、低域音声信号（ＬＦＥ信号）のみが供給されるようにされている。これらの補助用サブウーハ１１ＳＷ３，１１ＳＷ４にも、サブウーハ１１ＳＷ１，１１ＳＷ２と同様にして、仮想音源処理した音声信号を供給するようにしてもよい。
【００６５】
パイプ２２１は、扁平なリング状形状に構成されており、かつ、そのリング状部分が、図６（Ａ）に示すように、リスナ４の顔の正面方向を除く頭部の横（左右の耳と対向する側）と頭部の後部とを囲むように、ほぼコ字状に構成されている。
【００６６】
そして、このリング状パイプ２２１には、椅子２０の背もたれ部２１に取り付けるための取り付け脚部２２２ａ、２２２ｂが連結して設けられており、この取り付け脚部２２２ａ、２２２ｂにより、椅子２０の背もたれ部２１に、例えば取り外し可能に取り付けられることができるようにされている。すなわち、例えば椅子２０の背もたれ部２１の頂部２１ａには、取り付け脚部２２２ａ、２２２ｂが挿入嵌合する長孔（図示は省略）が設けられており、取り付け脚部２２２ａ、２２２ｂが、当該背もたれ部２１の長孔に挿入嵌合されることにより、取り付け固定されるように構成されている。
【００６７】
そして、このコ字状のリング状パイプ２２１の、リスナ４が椅子に座ったときに、リスナ４の左右の耳と対向する位置に、それぞれサブウーハ１１ＳＷ１および１１ＳＷ２が、パイプ２２１に固定されて保持される。また、リスナ４の頭部の後方となるリング状パイプ位置に、補助用のサブウーハ１１ＳＷ３，１１ＳＷ４が、パイプ２２１に固定されて保持される。
【００６８】
この例の場合、リスナ４が椅子２０に座ったとき、サブウーハ１１ＳＷ１〜ＳＷ４と、リスナ４の頭部（特に耳）との距離は、この例では、２０センチメートル程度となるように、構成されている。
【００６９】
そして、各スピーカ１１ＳＷ１〜１１ＳＷ４への対応するチャンネルの音声信号は、この例では、音声信号出力装置部３から、それぞれ信号線（スピーカケーブル）を通じて供給されるように構成されている。
【００７０】
［第１の実施の形態における音声信号出力装置部３の構成例］
図７は、この第１の実施形態における音声信号出力装置部３の構成例を示すブロック図である。この第１の実施の形態における音声信号出力装置部３は、音声信号処理部３００と、マイクロコンピュータからなる制御部１００とを備える。
【００７１】
制御部１００は、ＣＰＵ（Ｃｅｎｔｒａｌ  Ｐｒｏｃｅｓｓｉｎｇ  Ｕｎｉｔ）１０１に対して、システムバス１０２を通じて、ソフトウエアプログラムなどが格納されているＲＯＭ（Ｒｅａｄ  Ｏｎｌｙ  Ｍｅｍｏｒｙ）１０３、ワークエリア用のＲＡＭ（Ｒａｎｄｏｍ  Ａｃｃｅｓｓ  Ｍｅｍｏｒｙ）１０４、複数個の入出力ポート１０５〜１０８、ユーザ操作インターフェース部１１０、頭部リア伝達関数記憶部１１１などが接続されて構成されている。なお、ユーザ操作インターフェース部１１０は、音声信号出力装置部３に対して直接的に設けられるキー操作部などの他、リモートコマンダとリモコン受信部とで構成されるものを含むものである。
【００７２】
前述したように、この実施の形態では、音声信号出力装置部３は、テレビ受像機１からの音声信号Ａｕ１と、ＤＶＤプレーヤ２からの音声信号Ａｕ２とを受信することが可能とされており、これら受信された音声信号Ａｕ１およびＡｕ２は、入力選択用スイッチ回路３０１に供給される。
【００７３】
この入力選択用スイッチ回路３０１は、ユーザ操作インターフェース部１１０を通じたユーザの選択操作に応じて、制御部１００の入出力ポート１０５を通じた切り替え信号により切り替えられる。すなわち、ユーザにより、テレビ受像機１からの音声が選択された場合には、スイッチ回路３０１は、音声信号Ａｕ１を選択するように切り替えられ、また、ＤＶＤプレーヤ２からの音声が選択された場合には、スイッチ回路３０１は、音声信号Ａｕ２を選択するように切り替えられる。
【００７４】
そして、このスイッチ回路３０１で選択された音声信号は、５．１チャンネルデコード部３０２に供給される。５．１チャンネルデコード部３０２では、スイッチ回路３０１からの音声信号Ａｕ１またはＡｕ２を受けて、チャンネルデコード処理をして、フロント左右チャンネルの音声信号Ｌ，Ｒと、センターチャンネルの音声信号Ｃと、リア左右チャンネルの音声信号ＲＬ，ＲＲと、低域音声信号ＬＦＥを出力する。
【００７５】
５．１チャンネルデコード部３０２からのフロント左チャンネルの音声信号Ｌと、センターチャンネルの音声信号Ｃとは、合成部３０３に供給されて合成され、その合成出力音声信号（Ｌ＋Ｃ）が、アンプ３０５を通じて音声出力端子３０７に導出される。この出力端子３０７に得られる音声信号は、テレビ受像機１の一方のスピーカ１１ＦＬに供給される。
【００７６】
また、５．１チャンネルデコード部３０２からのフロント右チャンネルの音声信号Ｒと、センターチャンネルの音声信号Ｃとは、合成部３０４に供給されて合成され、その合成出力音声信号（Ｒ＋Ｃ）が、アンプ３０６を通じて音声出力端子３０８に導出される。この出力端子３０８に得られる音声信号は、テレビ受像機１の他方のスピーカ１１ＦＲに供給される。
【００７７】
アンプ３０５および３０６は、音声信号出力を遮断するミューティング機能を備えており、制御部１００の入出力ポート１０７を通じたミューティング信号によりミューティング制御されるように構成されている。
【００７８】
そして、この実施の形態では、テレビ受像機１からの音声信号Ａｕ１を受信するときには、テレビ受像機１のスピーカ１１ＦＬおよび１１ＦＲからは、テレビ受像機１で再生された音声信号が音響再生されるので、アンプ３０５および３０６は、ミューティング制御されて、音声信号装置部３からの音声信号が、テレビ受像機１のスピーカ１１ＦＬおよび１１ＦＲに供給されないように遮断される。
【００７９】
一方、ＤＶＤプレーヤ２からの音声信号Ａｕ２を受信するときには、アンプ３０５および３０６は、ミューティング制御されず、音声信号装置部３からの音声信号が、テレビ受像機１のスピーカ１１ＦＬおよび１１ＦＲに供給される。
【００８０】
なお、アンプ３０５および３０６をミューティング制御する構成に代えて、５．１チャンネルデコード部３０２において、テレビ受像機１からの音声信号のデコード時には、フロント左右チャンネルの音声信号Ｌ、Ｒおよびセンターチャンネルの音声信号Ｃをデコード出力しないように構成しても良い。その場合には、そのための制御信号は、入出力ポート１０６を通じて供給するようにすれば良い。
【００８１】
次に、５．１チャンネルデコード部３０２でデコードされて得られたリア左右２チャンネルの音声信号ＲＬ，ＲＲは、仮想音源処理部としてのリア伝達関数畳み込み回路３１０に供給される。
【００８２】
リア伝達関数畳み込み回路３１０は、例えばデジタルフィルタを用いて、予め、頭部リア伝達関数記憶部１１１に用意されている頭部リア伝達関数を、５．１チャンネルデコード部３０２からのリア左右２チャンネルの音声信号ＲＬとＲＲに対して、畳み込むようにする。
【００８３】
このため、リア伝達関数畳み込み回路３１０では、その入力音声信号がデジタル信号ではないときにはデジタル信号に変換され、頭部リア伝達関数が畳み込まれた後、アナログ信号に戻されて出力される。
【００８４】
頭部リア伝達関数は、この例では、次のようにして測定されて求められ、頭部リア伝達関数記憶部１１１に格納される。図８は、頭部リア伝達関数の測定方法を説明するための図である。
【００８５】
すなわち、図８に示すように、リスナ４の左右両耳の近傍に、左チャンネル測定用マイクロホン４１および右チャンネル測定用マイクロホン４２を設置する。次に、リスナ４の後方の、通常、リア左チャンネル用スピーカを配置するような場所に、当該リア左チャンネル用スピーカ１１ＲＬを配置する。そして、このリア左チャンネル用スピーカ１１ＲＬで、例えばインパルスを音響再生したときの放音音声を、それぞれのマイクロホン４１，４２で収音し、その収音した音声信号から、リアスピーカ１１ＲＬからの左右の耳までの伝達関数（リア左チャンネルについての頭部リア伝達関数）を測定する。
【００８６】
同様にして、リア右チャンネル用スピーカ１１ＲＲで、例えばインパルスを音響再生したときの放音音声を、それぞれのマイクロホン４１，４２で収音し、その収音した音声信号から、リアスピーカ１１ＲＲからの左右の耳までの伝達関数（リア右チャンネルについての頭部リア伝達関数）を測定する。
【００８７】
なお、頭部リア伝達関数は、リアスピーカＲＬおよびＲＲを、例えば、リスナ４の後方中央から左右に３０度で、２ｍの位置にスピーカを置いたときに、各スピーカから耳までの伝達関数を測定し、得た伝達関数とすると良い。
【００８８】
伝達関数について更に補足する。例えば図８の左後方から左耳に来る伝達関数を伝達関数Ａとする。次に耳の近傍にあるスピーカ１１ＳＷ１からマイク４1までの伝達関数を測定し得た伝達関数を伝達関数Ｂとする。そして、伝達関数Ｂに、ある伝達関数Ｘを掛けると伝達関数Ａになる様な伝達関数Ｘを求め、近傍のスピーカ１１ＳＷ１に送り込まれる信号音に、求めた伝達関数Ｘを畳み込めば、そのときにスピーカ１１ＳＷ１から放音される音は、あたかも左後方２ｍから来たように感じる訳である。
【００８９】
ただし、必ずしも伝達関数Ｘを求めればよい訳ではなく、場合により伝達関数Ａだけでもよいこともある。なお、以上の説明は、伝達関数の１つを代表して記述したが、図８にも示されるように、伝達関数は、実際には複数あることは言うまでもない。
【００９０】
以上のようにして測定された頭部リア伝達関数が頭部リア伝達関数記憶部１１１に記憶され、リア伝達関数畳み込み回路３１０に、入出力ポート１０８を通じて供給されて、リア伝達関数畳み込み回路３１０において畳み込まれる。これにより、このリア伝達関数畳み込み回路３１０からの音声信号ＲＬ＊およびＲＲ＊を、両耳近傍に配置したスピーカ１１ＳＷ１および１１ＳＷ２に供給して音響再生したときには、リスナ４は、あたかも、後方の左右のリアスピーカ１１ＲＬおよび１１ＲＲから音声が放音されたように、再生音声を聴取する。
【００９１】
このときの仮想音源処理されたリア左右チャンネルの音声信号ＲＬ＊およびＲＲ＊のレベルは、スピーカ１１ＲＬおよび１１ＲＲに供給する場合の信号レベルよりも、低いレベルでよい。スピーカ１１ＳＷ１および１１ＳＷ２は、リスナ４の耳の近傍にあるからである。
【００９２】
この明細書では、上述の頭部伝達関数畳み込みにより、仮想的なスピーカ位置から音声が放音されるように聴取されることから、以上の処理を仮想音源処理と呼ぶものである。
【００９３】
以上のようにして、リア伝達関数畳み込み回路３１０からの仮想音源処理がなされた音声信号ＲＬ＊およびＲＲ＊は、合成部３１１および３１２に供給される。合成部３１１および３１２には、５．１チャンネルデコード部３０２からの低域音声信号ＬＦＥが供給される。そして、この合成部３１１および３１２の出力音声信号が、アンプ３１３および３１４を通じて、音声出力端子３１５および３１６に導出される。
【００９４】
これら音声出力端子は、リスナ４の耳の近傍に配置されているスピーカ１１ＳＷ１および１１ＳＷ２に接続されている。したがって、スピーカ１１ＳＷ１および１１ＳＷ２は、サブウーハとして、低域音声信号ＬＦＥを音響再生すると共に、仮想音源処理されたリア左右チャンネルの音声信号ＲＬ＊およびＲＲ＊を音響再生する。
【００９５】
この場合に、テレビ受像機１からの音声信号Ａｕ１を５．１チャンネルデコード部３０２でデコードして、上述のような音響再生をする場合、テレビ受像機１のスピーカ１１ＦＬおよび１１ＦＲからの放音音声には、リア左右チャンネルの音声が含まれていることを考慮する必要がある。
【００９６】
すなわち、リスナ４の両耳の近傍に配置されているスピーカ１１ＳＷ１および１１ＳＷ２から放音されるリア左右チャンネルの音声が、テレビ受像機１のスピーカ１１ＦＬおよび１１ＦＲからの放音音声に含まれるリア左右チャンネルの音声により、音源定位が狂ってしまうのではないかという問題である。
【００９７】
しかしながら、この実施の形態においては、スピーカ１１ＳＷ１および１１ＳＷ２は、リスナ４の耳の近傍に設けられているため、テレビ受像機１のスピーカ１１ＦＬおよび１１ＦＲの位置よりも十分にリスナ４に近く、このため、スピーカ１１ＳＷ１および１１ＳＷ２からの放音音声の方が、テレビ受像機１のスピーカ１１ＦＬおよび１１ＦＲからの放音音声よりも、はるかに早くリスナ４に到達する。
【００９８】
したがって、ハース（Ｈａａｓ）効果によって、リスナ４は、リア音声としては、スピーカ１１ＳＷ１および１１ＳＷ２からの放音音声のみを聴取する状態となり、テレビ受像機１のスピーカ１１ＦＬおよび１１ＦＲに供給する音声信号から、リア左右チャンネルの音声信号を予め除去するなどの処理は不要である。
【００９９】
なお、補助用のサブウーハ１１ＳＷ３および１１ＳＷ４に供給する音声信号系については、図７では、省略したが、前述もしたように、これらの補助用のサブウーハ１１ＳＷ３および１１ＳＷ４には、低域音声信号ＬＦＥのみを供給するようにしてもよいし、また、仮想音源処理されたリア左右チャンネルの音声信号ＲＬおよびＲＲを、低域音声信号ＬＦＥに加えて供給するようにしてもよい。
【０１００】
以上のようにして、図５に示した椅子２０にマルチチャンネル用スピーカを取り付けた、第１の実施形態の音響再生システムによれば、椅子２０に座ったリスナ４は、チャンネル数よりも数のスピーカを用いて、大音量で、臨場感のあるマルチチャンネル音声を楽しむことができると共に、周囲への音の漏れを大幅に減少させることができる。
【０１０１】
特に、この実施形態では、サブウーハ用のスピーカ１１ＳＷ１および１１ＳＷ２をボックスに収納せずにリスナ４の耳の近傍に配置するようにしたことにより、重低音が隣接した部屋に漏れるのを大幅に減衰させることができる。また、前述したように、サブウーハ用のチャンネル以外のリア左右チャンネルの音声も、このスピーカ１１ＳＷ１および１１ＳＷ２により仮想音源処理して放音するようにしたので、その音声信号レベルを低くすることができるようにしたことにより、低音のみでなく、周囲への音の漏れのレベルをさらに低くすることができる。このため、例えば深夜のＤＶＤ鑑賞でも他者を気にせずに、十分な音量で楽しむことができる。
【０１０２】
また、スピーカ１１ＳＷ１および１１ＳＷ２は、リスナの耳の近傍に配置したので、音声信号出力パワーは極端な場合、従来の場合の１/１００程度にすることができ、省エネルギー化ができ、また、ハードウエア（出力アンプ）のコストを大幅に引き下げることができる。さらに、音声出力パワーは、小さなパワーで済むことで、スピーカは大きなストロークを必要としない薄く、軽い、安価なスピーカを用いることができるという利点もある。また、音声出力パワーが小さくなることにより、発熱が減り、電源などの装置の小型化も出来るため、電池駆動も可能で、椅子等のデザインの中に埋め込むことが出来る。
【０１０３】
したがって、トータルで音響再生システムの省エネルギー化が実現でき、かつ、鑑賞する人の満足度を落とさず、周りへの騒音も減らす音響再生システムを提供できるメリットがある。
【０１０４】
通常の防音窓においても、５ｋＨｚで４５ｄＢ減衰できる性能があっても、１ｋＨｚでは３６ｄＢ、１００Ｈｚでは２０ｄＢまで落ちてくる。まして、５０Ｈｚ以下では、さらに減衰量は少なくなるため、この実施形態によるサブウーハの防音効果は著しく、部屋の防音工事までして、映像音響再生を楽しむことを考えると、その節約できる費用効果は非常に大きなものがある。
【０１０５】
なお、上述の第１の実施の形態の説明では、ＤＶＤプレーヤ２の再生時には、音声信号Ａｕ２は、音声信号出力装置部３を介してテレビ受像機１のスピーカ１１ＦＬおよび１１ＦＲに供給するようにしたが、ＤＶＤプレーヤ２からの音声信号Ａｕ２をテレビ受像機１に供給するようにして、デジタル放送番組の受信時と同様に、スピーカ１１ＦＬおよび１１ＦＲからは、５．１チャンネルの音声が混合された音声が放音されるようにしても良い。その場合には、音声信号出力装置部３からテレビ受像機１のスピーカ１１ＦＬおよび１１ＦＲに供給される音声信号系路は、不要となる。
【０１０６】
なお、音声信号出力装置部３は、椅子２０の座面の下などの所定の位置に設けるようにすることができる。その場合に、音声信号出力装置部３は、マルチチャンネル音声信号の供給源、テレビ受像機１やＤＶＤプレーヤ２からの音声信号Ａｕ２を、信号ケーブルを通じて受け取るように構成することもできるが、それでは、テレビ受像機１やＤＶＤプレーヤ２と椅子との間を信号ケーブルで接続しておく必要がある。そこで、ＤＶＤプレーヤなどに、電波や光を用いて、無線でマルチチャンネルの音声信号を送出する手段を設けると共に、音声信号出力装置部３に、当該無線送信されてくるマルチチャンネルの音声信号を受信する受信部を設けることで、ＤＶＤプレーヤ２などと、椅子２０との間の信号ケーブルを不要とすることができる。
【０１０７】
このように、ＤＶＤプレーヤなどのマルチチャンネル音声信号の供給源からの音声信号出力を、電波や光で伝送するようにした場合には、ＤＶＤプレーヤなどと音響再生システムとの間はコードレスとなり、例えば音響再生システムを装備した椅子２０は、自由に移動ができるという利点がある。
【０１０８】
［第２の実施の形態］
上述した第１の実施の形態では、フロント左右２チャンネル音声用のスピーカは、テレビ受像機１の２個のスピーカ１１ＦＬおよび１１ＦＲを用いた。これに対して、この第２の実施の形態においては、フロント左右２チャンネル音声用のスピーカは、別個に設けた２個のスピーカ５１ＦＬおよび５１ＦＲを用いるものである。
【０１０９】
この２個のスピーカ５１ＦＬおよび５１ＦＲは、図９に示すように、スピーカボックス５２ＦＬおよび５２ＦＲに、例えば、当該スピーカボックスの前面をバッフル板としてスピーカユニット５３ＦＬおよび５３ＦＲが取り付けられたものである。
【０１１０】
そして、この第２の実施の形態においては、ＤＶＤプレーヤ２からの映像出力信号Ｖｉは、テレビ受像機１ではなく、スピーカとは別体の表示モニター装置１５に供給されて、その表示画面１５Ｄに表示されるようにされる。
【０１１１】
２個のスピーカ５１ＦＬおよび５１ＦＲは、それぞれ独立のものとして、任意の位置に配置できるようにしても良いが、第２の実施の形態においては、図１０に示すように、椅子２０に設けられるものである。
【０１１２】
すなわち、この第２の実施の形態においては、フロント左チャンネル用のスピーカ５１ＦＬは、この例では、椅子２０の左側の肘掛部２３Ｌに対して、例えば挿脱可能に取り付けられる取り付けアーム２４Ｌの先端部に取り付けられている。この例の場合、肘掛部２３Ｌには、取り付けアーム２４Ｌが挿脱可能に装着される装着部（図示は省略）が設けられており、スピーカ５１ＦＬが先端部に固定されて取り付けられている取り付けアーム２４Ｌが、その装着部に装着されることにより、椅子２０に取り付けられる。なお、この場合、スピーカ１１ＦＬの位置は、リスナ１のディスプレイ画面の映像の観視の妨げとならない位置となるように、構成されている。
【０１１３】
図示は省略するが、フロント右チャンネル用スピーカ５１ＦＲも、同様に、取り付けアームの先端部に固定されて取り付けられており、その取り付けアームが、椅子２０の右側の肘掛部の取り付けアーム装着部に対して、装着されることにより取り付けられる。
【０１１４】
この第２の実施の形態においては、図７の音声信号出力装置部３の回路構成において、スイッチ回路３０１は不要とされる。また、アンプ３０５および３０６に対するミューティング制御機能も不要とされ、音声出力端子３０７および３０８に得られる音声信号が、フロント左右チャンネルのスピーカ５１ＦＬおよび５１ＦＲにそれぞれ供給されるものである。
【０１１５】
その他は、前述した第１の実施の形態と全く同様とされる。
【０１１６】
この第２の実施の形態によれば、フロント左右チャンネル用のスピーカ５１ＦＬおよび５１ＦＲは、比較的リスナの近傍に配置されるため、スピーカ５１ＦＬおよび５１ＦＲからの放音音声の音量を、第１の実施の形態の場合のスピーカ１１ＦＬおよび１１ＦＲよりもスピーカの放音音声よりも下げることができ、全体として低騒音化に役立つ。
【０１１７】
［第３の実施の形態］
第１の実施の形態および第２の実施の形態においては、いずれも、リア左右チャンネルの音声信号を仮想音源処理して、スピーカ数を減少させると共に、低騒音化を図るようにした。しかし、リア用スピーカは、比較的、リスナ４の近くにおいても、サラウンド効果を損なうことは少なく、このため、低騒音化への寄与は少ないと考えられる。
【０１１８】
そこで、この第３の実施の形態では、リア用スピーカは、実スピーカを、リスナ４の近傍に配置すると共に、フロント左右２チャンネルに供給する音声信号を仮想音源処理して、リスナ４の両耳の近傍に配置した２個のスピーカ１１ＳＷ１および１１ＳＷ２で音響再生するようにして、フロント左右２チャンネル用のスピーカを削減するようにする。
【０１１９】
図１１は、この第３の実施の形態による音響再生システムの概要を示す図である。図１１に示すように、この第３の実施の形態では、前述した第２の実施の形態と同様に、ＤＶＤプレーヤ２からの映像出力信号Ｖｉは、表示モニター装置１５に供給されて、その表示画面１５Ｄに映出される。
【０１２０】
リスナ４の近傍には、サブウーハとしてのスピーカ１１ＳＷ１および１１ＳＷ２だけではなく、リア左右２チャンネル用のスピーカ６１ＲＬおよび６１ＲＲが設けられる。このリア左右２チャンネル用のスピーカ６１ＲＬおよび６１ＲＲのそれぞれは、図１１に示すように、小型のスピーカボックス６２ＲＬおよび６２ＲＲのそれぞれに、例えばその前面板をバッフル板としてリア用スピーカユニット６３ＲＬおよび６３ＲＲのそれぞれが取り付けられたものである。
【０１２１】
そして、音声信号出力装置部３には、ＤＶＤプレーヤ２からの音声信号Ａｕ２のみが供給される。音声信号出力装置部３では、音声信号Ａｕ２から、サブウーハ１１ＳＷ１および１１ＳＷ２（補助サブウーハ１１ＳＷ３および１１ＳＷ４を含む場合もある）に供給する低域音声信号ＬＦＥおよびリア左右２チャンネル用のスピーカ６１ＲＬおよび６１ＲＲに供給するリア左右２チャンネル音声信号ＲＬおよびＲＲを生成すると共に、フロント左右２チャンネル音声信号ＬおよびＲを生成して仮想音源処理し、その仮想音源処理した音声信号ＦＬ＊およびＦＲ＊を、サブウーハ１１ＳＷ１および１１ＳＷ２に供給する音声信号に加算する処理を行う。なお、センターチャンネルの音声信号Ｃは、この例では、仮想音源処理されるフロント左右２チャンネル音声信号ＬおよびＲのそれぞれに合成するようにする。
【０１２２】
［第３の実施の形態のスピーカ配置例］
図１２は、この第３の実施の形態におけるスピーカ配置例を説明するための図である。すなわち、この第３の実施の形態では、実スピーカとしては、実線で示すように、リスナ４の両耳の近傍に設けられるサブウーハ用の２個のスピーカ１１ＳＷ１および１１ＳＷ２と、リア左右２チャンネル用のスピーカ１１ＲＬおよび１１ＲＲである。前述したように、スピーカ１１ＳＷ１、１１ＳＷ２のみではなく、リア左右２チャンネル用のスピーカ１１ＲＬ、１１ＲＲも、リスナ４とは、例えばｄｓｗ＝２０ｃｍだけ離れた位置となるように配置されている。
【０１２３】
センターチャンネル用のスピーカ１１Ｃ、フロント左右２チャンネル用のスピーカ１１ＦＬおよび１１ＦＲは、図１２において破線で示すように、実体としては設けられない。そして、それらのスピーカに供給される音声信号が仮想音源処理されて、スピーカ１１ＳＷ１および１１ＳＷ２に供給され、それらのスピーカが、それぞれ、点線で示す位置にあるかの如く、リスナ４が聴取できるように音響再生される。
【０１２４】
なお、センターチャンネルの音声信号は、フロント左右２チャンネルの音声信号に加算され、その後、当該センターチャンネルの音声信号が合成されたフロント左右２チャンネルの音声信号が仮想音源処理されることにより、仮想的に、図１２において点線で示すスピーカ１１Ｃの位置から放音されるようにリスナ４が聴取できるようにされている。
【０１２５】
次に、この第３の実施の形態においても、上述の第１および第２の実施の形態と同様に、例えばマッサージチェアのような構造の椅子に、それぞれスピーカを設置する場合について説明する。
【０１２６】
図１３は、この第３の実施の形態において、椅子２０にスピーカを配置した例を説明するための図で、サブウーハ１１ＳＷ１，１１ＳＷ２に加えて、リア左右２チャンネル用のスピーカ６１ＲＬおよび６１ＲＲが、椅子２０に装着された構造とされたものである。この例で、前述の第１の実施の形態で説明した部分と同一部分には、同一符号を付して、その詳細な説明は省略する。
【０１２７】
図１３および図１４に示すように、リア左右２チャンネル用のスピーカ６１ＲＬおよび６１ＲＲは、前述したスピーカ保持具２２に、サブウーハ１１ＳＷ１，１１ＳＷ２と共に取り付けられて保持される。すなわち、リア左右２チャンネル用のスピーカ６１ＲＬおよび６１ＲＲは、スピーカ保持具２２を構成する扁平のリング状パイプにより形成される空間であって、リスナ４の頭部の斜め後方の位置に、固定保持される構造とされている。
【０１２８】
なお、この例においても、補助用のサブウーハ１１ＳＷ３および１１ＳＷ４が、第１の実施の形態と同様にして、取り付けられている構造とされている。
【０１２９】
この例の場合、リスナ１が椅子２０に座ったとき、サブウーハ１１ＳＷ１〜ＳＷ４およびリアスピーカ１１ＲＬ、１１ＲＲと、リスナ４の頭部（特に耳）との距離は、この例では、２０センチメートル程度となるように、構成されている。
【０１３０】
［第３の実施の形態における音声信号出力装置部３の構成例］
図１５は、この第３の実施の形態における音声信号出力装置部３の構成例を示すブロック図である。この第３の実施の形態における音声信号出力装置部３は、第１の実施の形態における音声信号出力装置部３と同様に、音声信号処理部３００と、マイクロコンピュータからなる制御部１００とを備える。
【０１３１】
そして、制御部１００の構成は、第１の実施の形態における頭部リア伝達関数記憶部１１１の代わりに、頭部フロント伝達関数記憶部１１２が設けられる点が異なるのみで、第１の実施の形態の場合とほぼ同様である。
【０１３２】
また、音声信号処理部３００においては、第１の実施の形態の場合における入力選択用スイッチ回路３０１は設けられない。そして、この第３の実施の形態における音声信号処理部３００においては、第１の実施の形態の場合と同様に、５．１チャンネルデコード部３０２が設けられると共に、第１の実施の形態の場合のリア伝達関数畳み込み回路３１０の代わりに、フロント伝達関数畳み込み回路３２０が設けられる。
【０１３３】
５．１チャンネルデコード部３０２では、ＤＶＤプレーヤ２からの音声信号Ａｕ２を受けて、チャンネルデコード処理をして、フロント左右チャンネルの音声信号Ｌ，Ｒと、センターチャンネルの音声信号Ｃと、リア左右チャンネルの音声信号ＲＬ，ＲＲと、低域音声信号ＬＦＥを出力する。
【０１３４】
そして、５．１チャンネルデコード部３０２からのフロント左チャンネルの音声信号Ｌと、センターチャンネルの音声信号Ｃとは、合成部３０３で合成され、その合成出力音声信号（Ｌ＋Ｃ）が、仮想音源処理部を構成するフロント伝達関数畳み込み回路３２０に供給される。また、５．１チャンネルデコード部３０２からのフロント右チャンネルの音声信号Ｒと、センターチャンネルの音声信号Ｃとは、合成部３０４で合成され、その合成出力音声信号（Ｒ＋Ｃ）が、フロント伝達関数畳み込み回路３２０に供給される。
【０１３５】
フロント伝達関数畳み込み回路３２０は、リア伝達関数畳み込み回路３１０と同様の構成を備えるもので、例えばデジタルフィルタを用いて、予め、頭部フロント伝達関数記憶部１１２に用意されている頭部フロント伝達関数を、合成部３０３および３０４からの音声信号に対して、畳み込むようにする。
【０１３６】
このため、フロント伝達関数畳み込み回路３２０では、その入力音声信号がデジタル信号ではないときにはデジタル信号に変換され、頭部フロント伝達関数が畳み込まれた後、アナログ信号に戻されて出力される。
【０１３７】
頭部フロント伝達関数は、この例では、次のようにして測定されて求められ、頭部フロント伝達関数記憶部１１２に格納される。図１６は、頭部フロント伝達関数の測定方法を説明するための図である。
【０１３８】
すなわち、図１６に示すように、リスナ４の左右両耳の近傍に、左チャンネル測定用マイクロホン４１および右チャンネル測定用マイクロホン４２を設置する。次に、リスナ４の前方の、通常、フロント左チャンネル用スピーカを配置するような場所に、当該フロント左チャンネル用スピーカ１１ＦＬを配置する。そして、このフロント左チャンネル用スピーカ１１ＦＬで、例えばインパルスを音響再生したときの放音音声を、それぞれのマイクロホン４１，４２で収音し、その収音した音声信号から、フロントスピーカ１１ＦＬからの左右の耳までの伝達関数（フロント左チャンネルについての頭部フロント伝達関数）を測定する。
【０１３９】
同様にして、フロント右チャンネル用スピーカ１１ＦＲで、例えばインパルスを音響再生したときの放音音声を、それぞれのマイクロホン４１，４２で収音し、その収音した音声信号から、フロントスピーカ１１ＦＲからの左右の耳までの伝達関数（フロント右チャンネルについての頭部フロント伝達関数）を測定する。
【０１４０】
なお、頭部フロント伝達関数は、フロントスピーカＦＬおよびＦＲを、例えば、リスナ４の前方中央から左右に３０度で、２ｍの位置にスピーカを置いたときに、各スピーカから耳までの伝達関数を測定し、得た伝達関数とすると良い。
【０１４１】
伝達関数について更に補足する。例えば図１６の左前方から左耳に来る伝達関数を伝達関数Ａとする。次に、耳の近傍にあるスピーカ１１ＳＷ１からマイクロホン４１までの伝達関数を測定し得た伝達関数を伝達関数Ｂとする。さらに、伝達関数Ｂに、ある伝達関数Ｘを掛けると伝達関数Ａになる様な伝達関数Ｘを求め、近傍のスピーカ１１ＳＷ１に送り込まれる信号音に、求めた伝達関数Ｘを畳み込めば、そのときにスピーカ１１ＳＷ１から放音される音は、あたかも左前方２ｍから来たように感じる訳である。
【０１４２】
ただし、必ずしも伝達関数Ｘを求めればよい訳ではなく、場合により伝達関数Ａだけでもよいこともある。なお、以上の説明は、伝達関数の１つを代表して記述したが、図１６にも示されるように、伝達関数は、実際には複数あることは言うまでもない。
【０１４３】
以上のようにして測定された頭部フロント伝達関数が頭部フロント伝達関数記憶部１１２に記憶され、フロント伝達関数畳み込み回路３２０に、入出力ポート１０８を通じて供給されて、リア伝達関数畳み込み回路３１０において畳み込まれる。これにより、このフロント伝達関数畳み込み回路３２０からは、仮想音源処理されたフロント左チャンネルの音声信号ＦＬ＊にセンターチャンネルの音声信号Ｃが合成されたものと、仮想音源処理されたフロント右チャンネルの音声信号ＦＲ＊にセンターチャンネルの音声信号Ｃが合成されたものとが得られる。
【０１４４】
このフロント伝達関数畳み込み回路３２０からの音声信号（ＦＬ＊＋Ｃ）および（ＦＲ＊＋Ｃ）を、両耳近傍に配置したスピーカ１１ＳＷ１および１１ＳＷ２に供給して音響再生したときには、リスナ４は、あたかも、前方の左右のフロントスピーカ１１ＦＬおよび１１ＦＲから音声が放音されたように、再生音声を聴取すると共に、センターチャンネル音声を中央に設置されたスピーカから放音されたように聴取する。
【０１４５】
このときの音声信号（ＦＬ＊＋Ｃ）および（ＦＲ＊＋Ｃ）のレベルは、スピーカ１１ＲＬおよび１１ＲＲに供給する場合の信号レベルよりも、低いレベルでよい。スピーカ１１ＳＷ１および１１ＳＷ２は、リスナ４の耳の近傍にあるからである。
【０１４６】
以上のようにして、仮想音源処理がなされたフロント伝達関数畳み込み回路３２０からの音声信号（ＦＬ＊＋Ｃ）および（ＦＲ＊＋Ｃ）は、合成部３２１および３２２に供給される。合成部３２１および３２２には、５．１チャンネルデコード部３０２からの低域音声信号ＬＦＥが供給される。そして、この合成部３２１および３２２の出力音声信号が、アンプ３２３および３２４を通じて、音声出力端子３１５および３１６に導出される。
【０１４７】
これら音声出力端子は、リスナ４の耳の近傍に配置されているスピーカ１１ＳＷ１および１１ＳＷ２に接続されている。したがって、スピーカ１１ＳＷ１および１１ＳＷ２は、サブウーハとして、低域音声信号ＬＦＥを音響再生すると共に、仮想音源処理された音声信号（ＦＬ＊＋Ｃ）および（ＦＲ＊＋Ｃ）を音響再生する。
【０１４８】
なお、補助用のサブウーハ１１ＳＷ３および１１ＳＷ４に供給する音声信号系については、図１５では、省略したが、前述もしたように、これらの補助用のサブウーハ１１ＳＷ３および１１ＳＷ４には、低域音声信号ＬＦＥのみを供給するようにしてもよいし、また、仮想音源処理された音声信号（ＦＬ＊＋Ｃ）および（ＦＲ＊＋Ｃ）を、低域音声信号ＬＦＥに加えて供給するようにしてもよい。
【０１４９】
そして、この第３の実施の形態においては、５．１チャンネルデコード部３０２からのリア左右２チャンネルの音声信号ＲＬおよびＲＲは、それぞれアンプ３２５および３２６を通じて、音声出力端子３２７および３２８のそれぞれに導出され、この音声出力端子３２７および３２８のそれぞれに接続されているリア左右チャンネル用のスピーカ６１ＲＬおよび６１ＲＲに供給されて、音響再生される。
【０１５０】
この場合に、リア左右チャンネル用のスピーカ６１ＲＬおよび６１ＲＲは、この第２の実施の形態では、リスナ４の耳の近傍に配置されるので、これらのスピーカ６１ＲＬおよび６１ＲＲに供給されるリア左右チャンネルの音声信号のレベルは低いレベルでよい。
【０１５１】
この第３の実施の形態においても、第１および第２の実施の形態と同様にして、チャンネル数よりも少ない数のスピーカを用いて、大音量で、臨場感のあるマルチチャンネル音声を楽しむことができると共に、周囲への音の漏れを大幅に減少させることができ、また、音響再生システムの省エネルギー化が実現できる。
【０１５２】
特に、この第３の実施の形態においては、フロントスピーカを設けずに、仮想音源処理して、リスナ４の耳の近傍のスピーカ１１ＳＷ１および１１ＳＷ２により音響再生するようにしたので、周囲への音の漏れを、さらに低減することができる。
【０１５３】
［第４の実施の形態］
この第４の実施の形態は、５．１チャンネルのサラウンド音声のすべてを、リスナ４の耳の近傍に設けた２個のスピーカ１１ＳＷ１および１１ＳＷ２により、放音するようにして、低騒音化および省エネルギー化の効果を最大に発揮する事ができるようにした場合である。
【０１５４】
図１７は、この第４の実施の形態による音響再生システムの概要を示す図である。図１７に示すように、この第４の実施の形態では、前述した第２および第３の実施の形態と同様に、ＤＶＤプレーヤ２からの映像出力信号Ｖｉは、表示モニター装置１５に供給されて、その表示画面１５Ｄに映出される。
【０１５５】
スピーカは、リスナ４の近傍に設けられるサブウーハとしてのスピーカ１１ＳＷ１および１１ＳＷ２のみが設けられる。
【０１５６】
そして、音声信号出力装置部３には、ＤＶＤプレーヤ２からの音声信号Ａｕ２のみが供給される。音声信号出力装置部３では、音声信号Ａｕ２から、サブウーハ１１ＳＷ１および１１ＳＷ２（補助サブウーハ１１ＳＷ３および１１ＳＷ４を含む場合もある）に供給する低域音声信号ＬＦＥを生成すると共に、フロント左右２チャンネル音声信号ＦＬ、ＦＲおよびリア左右２チャンネル音声信号ＲＬおよびＲＲを生成して、それぞれ仮想音源処理し、その仮想音源処理した音声信号を、サブウーハ１１ＳＷ１および１１ＳＷ２に供給する音声信号に加算する処理を行う。なお、センターチャンネルの音声信号Ｃは、この例では、仮想音源処理されるフロント左右２チャンネル音声信号ＬおよびＲのそれぞれに合成するようにする。
【０１５７】
［第４の実施の形態のスピーカ配置例］
図１８は、この第４の実施の形態におけるスピーカ配置例を説明するための図である。すなわち、この第４の実施の形態では、実スピーカとしては、実線で示すように、リスナ４の両耳の近傍に設けられる２個のスピーカ１１ＳＷ１および１１ＳＷ２のみである。
【０１５８】
センターチャンネル用のスピーカ１１Ｃ、フロント左右２チャンネル用のスピーカ１１ＦＬおよび１１ＦＲ、リア左右２チャンネル用のスピーカ１１ＲＬおよび１１ＲＲは、図１８において破線で示すように、実体としては設けられない。そして、それらのスピーカに供給される音声信号が仮想音源処理されて、スピーカ１１ＳＷ１および１１ＳＷ２に供給され、それらのスピーカが、それぞれ、点線で示す位置にあるかの如く、リスナ４が聴取できるように音響再生される。
【０１５９】
なお、センターチャンネルの音声信号は、フロント左右２チャンネルの音声信号に加算され、その後、当該センターチャンネルの音声信号が合成されたフロント左右２チャンネルの音声信号が仮想音源処理されることにより、仮想的に、図１８において点線で示すスピーカ１１Ｃの位置から放音されるようにリスナ４が聴取できるようにされている。
【０１６０】
この第４の実施の形態においても、スピーカ１１ＳＷ１および１１ＳＷ２（必要に応じて補助用サブウーハ１１ＳＷ３および１１ＳＷ４を含む）は、例えば、前述の図５および図６に示したようにして、椅子２０に取り付けられたものとして構成されている。
【０１６１】
［第４の実施の形態の音声信号出力装置部３の構成例］
図１９は、この第４の実施の形態の音声信号出力装置部３の構成例を示すブロック図である。この第４の実施の形態における音声信号出力装置部３も、前述の実施の形態における音声信号出力装置部３と同様に、音声信号処理部３００と、マイクロコンピュータからなる制御部１００とを備える。
【０１６２】
そして、この第４の実施の形態における制御部１００は、第１の実施の形態における制御部１００と比較すると、頭部リア伝達関数記憶部１１１に加えて、頭部フロント伝達関数記憶部１１２を備えると共に、入出力ポート１０９が追加される点が異なる。制御部１００のその他の構成は、第１の実施の形態の場合とほぼ同様である。
【０１６３】
また、この第４の実施の形態における音声信号処理部３００においては、第１の実施の形態の場合における入力選択用スイッチ回路３０１は設けられない。そして、この第４の実施の形態における音声信号処理部３００においては、５．１チャンネルデコード部３０２が設けられると共に、第１の実施の形態の場合におけるリア伝達関数畳み込み回路３１０と、第３の実施の形態の場合におけるフロント伝達関数畳み込み回路３２０との両方が設けられる。
【０１６４】
そして、５．１チャンネルデコード部３０２では、ＤＶＤプレーヤ２からの音声信号Ａｕ２を受けて、チャンネルデコード処理をして、フロント左右チャンネルの音声信号Ｌ，Ｒと、センターチャンネルの音声信号Ｃと、リア左右チャンネルの音声信号ＲＬ，ＲＲと、低域音声信号ＬＦＥを出力する。
【０１６５】
５．１チャンネルデコード部３０２からのフロント左チャンネルの音声信号Ｌと、センターチャンネルの音声信号Ｃとは、合成部３０３で合成され、その合成出力音声信号（Ｌ＋Ｃ）が、前述の第３の実施の形態と同様に、仮想音源処理部を構成するフロント伝達関数畳み込み回路３２０に供給される。また、５．１チャンネルデコード部３０２からのフロント右チャンネルの音声信号Ｒと、センターチャンネルの音声信号Ｃとは、合成部３０４で合成され、その合成出力音声信号（Ｒ＋Ｃ）が、フロント伝達関数畳み込み回路３２０に供給される。
【０１６６】
また、５．１チャンネルデコード部３０２からのリア左右２チャンネルの音声信号ＲＬおよびＲＲは、前述の第１の実施の形態と同様に、仮想音源処理部を構成するリア伝達関数畳み込み回路３１０に供給される。
【０１６７】
そして、頭部リア伝達関数記憶部１１１には、第１の実施の形態で、図８を用いて説明したようにして測定された頭部リア伝達関数が記憶されている。この頭部リア伝達関数記憶部１１１に記憶されている頭部リア伝達関数は、読み出されて入出力ポート１０８を通じてリア伝達関数畳み込み回路３１０に供給され、このリア伝達関数畳み込み回路３１０で、５．１チャンネルデコード部３０２からのリア左右２チャンネルの音声信号に畳み込まれる。
【０１６８】
また、頭部フロント伝達関数記憶部１１２には、第３の実施の形態で、図１６を用いて説明したようにして測定された頭部フロント伝達関数が記憶されている。この頭部フロント伝達関数記憶部１１２に記憶されている頭部フロント伝達関数は、読み出されて入出力ポート１０９を通じてフロント伝達関数畳み込み回路３２０に供給され、このフロント伝達関数畳み込み回路３２０で、合成部３０３および３０４からの、センターチャンネルの音声信号が合成されているフロント左右２チャンネルの音声信号に畳み込まれる。
【０１６９】
そして、フロント伝達関数畳み込み回路３２０からの仮想音源処理された、センターチャンネルの音声信号が合成されているフロント左チャンネルの音声信号は、合成部３２１において、５．１チャンネルデコード部３０２からの低域音声信号ＬＦＥと合成された後、合成回路３３１に供給されて、リア伝達関数畳み込み回路３１０からの仮想音源処理されたリア左チャンネルの音声信号と合成される。そして、この合成回路３３１からの合成音声信号が、アンプ３３３を通じ、音声出力端子３３５を通じてスピーカ１１ＳＷ１に供給される。
【０１７０】
同様にして、フロント伝達関数畳み込み回路３２０からの仮想音源処理された、センターチャンネルの音声信号が合成されているフロント右チャンネルの音声信号は、合成部３２２において、５．１チャンネルデコード部３０２からの低域音声信号ＬＦＥと合成された後、合成回路３３２に供給されて、リア伝達関数畳み込み回路３１０からの仮想音源処理されたリア右チャンネルの音声信号と合成される。そして、この合成回路３３２からの合成音声信号が、アンプ３３４を通じ、音声出力端子３３６を通じてスピーカ１１ＳＷ２に供給される。
【０１７１】
したがって、スピーカ１１ＳＷ１および１１ＳＷ２は、サブウーハとして、低域音声信号ＬＦＥを音響再生すると共に、仮想音源処理されたフロント音声信号（ＦＬ＊＋Ｃ）および（ＦＲ＊＋Ｃ）、また、仮想音源処理されたリア音声信号ＲＬ＊およびＲＲ＊を音響再生する。
【０１７２】
なお、補助用のサブウーハ１１ＳＷ３および１１ＳＷ４に供給する音声信号系については、図１９では、省略したが、これらの補助用のサブウーハ１１ＳＷ３および１１ＳＷ４には、低域音声信号ＬＦＥのみを供給するようにしてもよいし、また、仮想音源処理された音声信号（ＦＬ＊＋Ｃ）および（ＦＲ＊＋Ｃ）、また、仮想音源処理されたリア音声信号ＲＬ＊およびＲＲ＊を、低域音声信号ＬＦＥに加えて供給するようにしてもよい。
【０１７３】
以上のようにして、この第４の実施の形態においては、リスナ４の両耳の近傍のスピーカ１１ＳＷ１，１１ＳＷ２のみによって、大音量で、臨場感のあるマルチチャンネル音声を楽しむことができると共に、周囲への音の漏れを大幅に減少させることができ、また、音響再生システムの省エネルギー化が実現できる。
【０１７４】
［他の実施形態］
上述の実施形態では、椅子にスピーカを取り付けるようにして低域再生用のスピーカを、リスナの耳の近傍に配置する構成であるが、リスナの耳の近傍に配置させる構成としては、次に説明する例のように、椅子に取り付ける構造に限らないことは言うまでもない。
【０１７５】
すなわち、上述の実施形態では、椅子に固定されたスピーカ保持具に、スピーカ１１ＳＷ１および１１ＳＷ２のスピーカユニットが、スピーカボックスに収納されることなく、かつ、バッフル板に取り付けられることなく、いわゆる裸の状態で装着された場合であるが、スピーカ保持具は、椅子に固定されていなくてもよい。
【０１７６】
図２０および図２１に示す例は、例えば前述の実施形態と同様にアルミニュームのパイプで構成される、２個のスピーカ１１ＳＷ１および１１ＳＷ２のスピーカ保持具を、椅子７１に対して挿脱可能に構成した例である。
【０１７７】
図２０の例においては、２個のスピーカ１１ＳＷ１および１１ＳＷ２は、スピーカ保持具７２のＴ字型の取り付けアーム７２ａの両側に取り付けられる。２個のスピーカ１１ＳＷ１およびＳＷ２は、その振動面が互いに対向するようにして、所定の距離だけ離された状態で、スピーカ保持具７２に取り付けられる。
【０１７８】
この例の場合においても、スピーカ１１ＳＷ１の振動面と、スピーカ１１ＳＷ２の振動面との間の距離は、当該２個のスピーカ１１ＳＷ１および１１ＳＷ２の間にリスナ４の頭部が挿入されたときに、リスナ４の両耳と、２個のスピーカ１１ＳＷ１および１１ＳＷ２のそれぞれとの間の距離が、図２で説明したような距離ｄｓｗとなるようにされている。
【０１７９】
スピーカ保持具７２のＴ字型の取り付けアーム７２ａの中央アーム７２ｂは、この例では、椅子７１に設けられたスピーカ保持具装着孔７１ａに挿入して、椅子７１にスピーカ保持具７２を取り付けるための部分となる。
【０１８０】
椅子７１のスピーカ保持具装着孔７１ａは、椅子７１の背板部の、リスナ４が座ったときの肩幅方向の中央部に形成されている。
【０１８１】
この図２０の例においては、リスナ４は、スピーカ１１ＳＷ１および１１ＳＷ２を用いて楽曲を聴取する際に、スピーカ保持具７２の中央アーム７２ｂを、椅子７１のスピーカ保持具装着孔７１ａに挿入装着して、スピーカ１１ＳＷ１および１１ＳＷ２を、椅子７１に対して装着するようにする。
【０１８２】
図２０の例においては、リスナ４は、椅子７１に座れば、自分の両耳の近傍の、当該両耳に対して所定の距離ｄｓｗだけ離れた位置に、スピーカ１１ＳＷ１および１１ＳＷ２が配置され、低域の音声は、小さい音量であってもリスナ４にとって十分な音量で再生され、周囲に対しては低騒音となる。
【０１８３】
また、図２１の例は、スピーカ１１ＳＷ１および１１ＳＷ２のそれぞれが、スピーカ保持具７３１と、スピーカ保持具７３２とに取り付けられている。一方、椅子７１の背板部の、リスナ４が座ったときの肩幅方向の一方の端部に、スピーカ保持具７３１を挿入嵌合するスピーカ保持具装着孔７１ｂが形成され、椅子７１の背板部の、リスナ４が座ったときの肩幅方向の他方の端部に、スピーカ保持具７３２を挿入嵌合するスピーカ保持具装着孔７１ｃが設けられる。
【０１８４】
この図２１の例においては、リスナ４は、スピーカ１１ＳＷ１および１１ＳＷ２を用いて楽曲を聴取する際には、スピーカ保持具７３１を、椅子７１のスピーカ保持具装着孔７１ｂに挿入装着すると共に、スピーカ保持具７３２を、椅子７１のスピーカ保持具装着孔７１ｃに挿入装着して、スピーカ１１ＳＷ１および１１ＳＷ２を、椅子７１に対して装着するようにする。
【０１８５】
そして、椅子７１に対して、スピーカ保持具７３１および７３２を装着したときの、スピーカ１１ＳＷ１の振動面と、スピーカ１１ＳＷ２の振動面との間の距離は、当該２個のスピーカ１１ＳＷ１および１１ＳＷ２の間にリスナ４の頭部が挿入されたときに、リスナ４の両耳と、２個のスピーカ１１ＳＷ１および１１ＳＷ２のそれぞれとの間の距離が、図２で説明したような距離ｄｓｗとなるようにされている。
【０１８６】
したがって、図２１の例においても、リスナ４は、椅子７１に座れば、自分の両耳の近傍の、当該両耳に対して所定の距離ｄｓｗだけ離れた位置に、スピーカ１１ＳＷ１および１１ＳＷ２が配置され、低域の音声は、小さい音量であってもリスナ４にとって十分な音量で再生され、周囲に対しては低騒音となる。
【０１８７】
図２０および図２１の例の場合には、通常の椅子７１の使用時には、スピーカ保持具７２やスピーカ保持具７３１，７３２を、椅子７１から取り外すことが可能であるので、スピーカ１１ＳＷ１および１１ＳＷ２が邪魔になることがなく、使い勝手がよい。
【０１８８】
２個のスピーカ１１ＳＷ１および１１ＳＷ２は、以上の例に示したように、椅子に対して取り付けるようにする構成に限られるものではない。
【０１８９】
図２２の例は、２個のスピーカ１１ＳＷ１および１１ＳＷ２が、図２０や図２１の例と同様の距離を持って対向して取り付けられたスピーカ保持具７４が、吊り部材７５により、例えば天井から吊り下げられた例である。
【０１９０】
図２２の例の場合、例えば吊り部材７５は、図示を省略したが、その天井からの長さが調整可能とされており、当該長さ調整により、例えば、図２２に示すように椅子７１に座ったリスナ４の両耳の近傍の、当該両耳に対して所定の距離ｄｓｗだけ離れた位置に、スピーカ１１ＳＷ１および１１ＳＷ２が配置されるようにされる。
【０１９１】
また、図２３の例は、２個のスピーカ１１ＳＷ１および１１ＳＷ２が、図２０や図２１の例と同様の距離を持って対向して取り付けられたスピーカ保持具７６が、スタンド式に構成された場合である。
【０１９２】
また、図２４の例は、図２３の例と同様に、スピーカ保持具がスタンド式に形成された場合であるが、この図２４の例の場合には、２個のスピーカ１１ＳＷ１および１１ＳＷ２のそれぞれが、独立のスタンド形式のスピーカ保持具７７１および７７２のそれぞれに取り付けられて構成されている場合である。
【０１９３】
したがって、図２３の例の場合には、スピーカ保持具７６を、リスナ４に対して、所定の場所に設置すれば、２個のスピーカ１１ＳＷ１および１１ＳＷ２は、上述した図２０および図２１の例と同様にして、正しく配置される。
【０１９４】
しかし、図２４の例の場合には、スピーカ保持具７７１および７７２は、全く、分離独立したものであるので、スタンド形式のスピーカ保持具７７１および７７２のそれぞれを、リスナ４が適切な位置に配置するようにする。
【０１９５】
図２５の例は、２個のスピーカ１１ＳＷ１および１１ＳＷ２が、図２０や図２１の例と同様の距離を持って対向して取り付けられたスピーカ保持具７８が、壁７９に取り付けられるように構成された場合である。
【０１９６】
この図２５の例の場合には、図２３の例と同様に、２個のスピーカ１１ＳＷ１および１１ＳＷ２の距離は、スピーカ保持具７８により固定されているので、リスナ４は、自分の頭部を、これら２個のスピーカ１１ＳＷ１および１１ＳＷ２の中央に置くようにすればよい。
【０１９７】
図２６の例は、椅子に対して着脱自在にスピーカ保持部を装着する例の他の例である。この図２６の例においては、椅子７１の背板部分８１の背面側に、鉄板８２を埋め込んでおく。
【０１９８】
一方、２個のスピーカ１１ＳＷ１および１１ＳＷ２が、図２０や図２１の例と同様の距離を持って対向して取り付けられたスピーカ保持具８３には、マグネット部８４が、例えばねじ止めなどにより装着されている。スピーカ保持具８３は、マグネット部８４を、椅子７１の背板部分８１の鉄板８２に磁気吸引力により吸着させることにより、椅子７１の背板部分８１に固定するようにする。
【０１９９】
この図２６の例においても、リスナ４は、椅子８１に座って、自分の頭部を２個のスピーカ１１ＳＷ１および１１ＳＷ２の中央に置くようにすればよい。
【０２００】
以上は、一人のリスナ４に対するサブウーハの配置例であるが、複数人が同時に楽曲の聴取を楽しむ場合にも、この発明は適用できる。図２７〜図３０は、そのような複数人が同時に楽曲を楽しむ場合における前記スピーカ１１ＳＷ１，１１ＳＷ２に対応するスピーカの、当該複数のリスナに対する配置例を説明するための図である。
【０２０１】
図２７および図２８は、二人のリスナ４Ａおよび１Ｂに対して、前記スピーカを、それぞれのリスナの耳の近傍に配置するようにした音響再生システムの例を示すもので、この例は、図２６の例の応用例である。
【０２０２】
図２７の例においては、例えばアルミニュームのパイプで構成されるスピーカ保持具８５には、リスナ４Ａ用の２個のスピーカ１１ＳＷ１Ａ，１１ＳＷ２Ａが取り付けられると共に、リスナ４Ｂ用の２個のスピーカ１１ＳＷ１Ｂ，１１ＳＷ２Ｂが取り付けられる。
【０２０３】
そして、スピーカ保持具８５には、図２８（Ａ）に示す長椅子８７の背板部分に、図２６の例と同様に埋め込まれた鉄板（図示は省略）に対して、磁気吸引力により吸着されるマグネット部８６（図２７参照）が、例えばねじ止めなどにより装着されている。
【０２０４】
２個のスピーカ１１ＳＷ１Ａ，１１ＳＷ２Ａのリスナ４Ａに対する配置関係および２個のスピーカ１１ＳＷ１Ｂ，１１ＳＷ２Ｂのリスナ４Ｂに対する配置関係は、前述の例と同様であることは言うまでもない。ただし、スピーカ１１ＳＷ２Ａおよびスピーカ１１ＳＷ２Ｂの振動板は、この例では、図２８（Ｂ）に示すように、スピーカ１１ＳＷ１Ａおよびスピーカ１１ＳＷ１Ｂの振動板とは対向しておらず、リスナ４Ａおよびリスナ４Ｂの後方から音を放音するように配置されている。
【０２０５】
すなわち、スピーカ１１ＳＷ２Ａおよびスピーカ１１ＳＷ２Ｂは、それらの振動板からの音波の放射方向が、他の２個のスピーカ１１ＳＷ１Ａ，１１ＳＷ１Ｂの振動板からの音波の放射方向に対して直交する方向となるようにされている。
【０２０６】
このため、スピーカ１１ＳＷ２Ａおよびスピーカ１１ＳＷ２Ｂの位置は、その振動板の中心位置において、当該振動板に対して直交する方向の線を想定したとき、その線の位置がリスナの耳に対向する位置となり、かつ、リスナの耳と当該線との間の距離が前記距離ｄｓｗとなるようにされる。
【０２０７】
したがって、二人のリスナ４Ａ，１Ｂが、長椅子８７に座った状態では、図２８（Ａ）のようになり、リスナ４Ａに対しては２個のスピーカ１１ＳＷ１Ａ，１１ＳＷ２Ａにより再生音が提供され、リスナ４Ｂに対しては２個のスピーカ１１ＳＷ１Ｂ，１１ＳＷ２Ｂにより再生音が提供される。
【０２０８】
この場合に、リスナ４Ａの左右の耳に対しては、２個のスピーカ１１ＳＷ１Ａ，１１ＳＷ２Ａの振動板（スピーカユニットの前面側）からの音波が同相で到達するように、音声信号が２個のスピーカ１１ＳＷ１Ａ，１１ＳＷ２Ａに対して入力される。同様にして、リスナ４Ｂの左右の耳に対して、２個のスピーカ１１ＳＷ１Ｂ，１１ＳＷ２Ｂの振動板（スピーカユニットの前面側）からの音波が同相で到達するように、音声信号が２個のスピーカ１１ＳＷ１Ａ，１１ＳＷ２Ａに対して入力される（図２８（Ｂ）参照）。図２８において、「＋」、「−」の印は、音波の位相を示しており、「＋」と、「−」とでは、音波が逆相となるものである。
【０２０９】
なお、図２８（Ｂ）では、リスナ４Ａとリスナ４Ｂとの間でも、２個のスピーカから提供される音波が同相となるように示したが、図２８（Ｃ）に示すように、リスナ４Ａとリスナ４Ｂとの間の距離が比較的離れている場合には、リスナ４Ａと、リスナ４Ｂとの間では、２個のスピーカから提供される音波が逆相となるようにしてもよい。
【０２１０】
また、図２９に示すように、リスナ４Ａ用となる２個のスピーカ１１ＳＷ１Ａと１１ＳＷ２Ａとは、それらの振動板が互いに対向するように設けて、リスナ４Ａの頭部を挟むように配置し、また、リスナ４Ｂ用となる２個のスピーカ１１ＳＷ１Ｂと１１ＳＷ２Ｂについても、同様に、それらの振動板が互いに対向するように設けて、リスナ４Ａの頭部を挟むように配置してももちろんよい。
【０２１１】
この図２９の例の場合には、リスナ４Ａとリスナ４Ｂとの間に設けられるリスナ４Ａ用のスピーカ１１ＳＷ２Ａと、リスナ４Ｂ用のスピーカ１１ＳＷ２Ｂとについて、振動板とは反対側のスピーカユニットの後方から出る音波は互いに打ち消しあうように構成するのが望ましい。そこで、図２９の例では、リスナ４Ａとリスナ４Ｂとでは、図２９にも示したように、リスナ４Ａ用の２個のスピーカ１１ＳＷ１Ａと１１ＳＷ２Ａとからの音波と、リスナ４用の２個のスピーカ１１ＳＷ１Ｂと１１ＳＷ２Ｂとからの音波とが逆相となるように、それぞれのスピーカ用の音声信号が、それぞれのリスナ用のスピーカに供給されるように構成される。
【０２１２】
図２８〜図２９に示した複数人のリスナの場合の音響再生システムにおいては、マグネットを用いて、スピーカ保持具を椅子に装着するように構成したが、例えば図２２の例のように天井から吊り下げるタイプ、図２３や図２４の例のようなスタンドを用いて保持するタイプ、壁にスピーカ保持具を固定するタイプなど、その他の種々の構成が取り得ることは言うまでもない。
【０２１３】
また、図２０〜図２９の例では、いずれもサブウーハとされるスピーカの装着についてのみについて説明したが、それぞれの例のスピーカ保持具には、必要に応じて前述の実施形態と同様に、リアスピーカなどをも取り付けてもよい。
【０２１４】
［その他の実施形態または変形例］
なお、上述の実施形態では、リスナ４の両耳の近傍に配置するスピーカ１１ＳＷ１，１１ＳＷ２は、リスナ４の耳に対向する位置に設けたので、リスナ４に到達する低域の音としては高効率となる。しかし、このスピーカの配置位置は、このような位置に限定されるものではなく、例えば、図３０に示すように、リスナ４の頭部を中心とした、例えば半径が（ｄｓｗ＋リスナ４の頭部の半径）の球面上の位置であれば、いずれの位置であっても良い。ただし、このスピーカの配置位置としては、リスナ４の顔面よりもリスナ正面側の空間は好ましくなく、図３０に示すように、リスナ４の顔面よりも後方側の区間内であることが望ましい。
【０２１５】
また、上述の実施形態では、リスナ４の両耳の近傍に配置したスピーカ１１ＳＷ１および１１ＳＷ２は、常に、サブウーハとするようにしたが、必ずしもサブウーハ用のスピーカではなくてもよく、サブウーハは、別個に設けても良い。
【０２１６】
なお、スピーカ１１ＳＷ１、１１ＳＷ２等のスピーカユニットを、その振動板の前後から出る音が加算可能なように取り付ける方法としては、上述の実施形態のようなパイプに取り付ける構造に限られるものではなく、例えば、比較的大きな多数の孔が穿かれた板に、低域再生用のスピーカユニットを取り付け、それらの多数の孔を通じて、前記振動板の前後から出る音が加算可能なようにされる構成であってもよい。
【０２１７】
また、上述の実施形態の説明は、５．１チャンネルのマルチチャンネル音声信号を再生するシステムの場合について説明したが、この発明は、５．１チャンネルに限らず、複数チャンネルの音声信号を再生するようにする音響再生システムの全てに適用可能である。
【図面の簡単な説明】
【０２１８】
【図１】この発明による音響再生システムの第１の実施の形態の概要の構成例を説明するための図である。
【図２】第１の実施の形態の音響再生システムにおけるスピーカ配置例を説明するための図である。
【図３】第１の実施の形態の音響再生システムにおけるスピーカ配置例を説明するための図である。
【図４】この発明による音響再生システムの実施形態の動作説明に用いる図である。
【図５】第１の実施の形態の音響再生システムにおけるスピーカ配置例を説明するための図である。
【図６】第１の実施の形態の音響再生システムにおけるスピーカ配置例を説明するための図である。
【図７】第１の実施の形態の音響再生システムにおける音声信号出力装置部の構成例を示すブロック図である。
【図８】図７の一部のブロックの構成を説明するための図である。
【図９】この発明による音響再生システムの第２の実施の形態の概要の構成例を説明するための図である。
【図１０】第２の実施の形態の音響再生システムにおけるスピーカ配置例を説明するための図である。
【図１１】この発明による音響再生システムの第３の実施の形態の概要の構成例を説明するための図である。
【図１２】第３の実施の形態の音響再生システムにおけるスピーカ配置例を説明するための図である。
【図１３】第３の実施の形態の音響再生システムにおけるスピーカ配置例を説明するための図である。
【図１４】第３の実施の形態の音響再生システムにおけるスピーカ配置例を説明するための図である。
【図１５】第３の実施の形態の音響再生システムにおける音声信号出力装置部の構成例を示すブロック図である。
【図１６】図１５の一部のブロックの構成を説明するための図である。
【図１７】この発明による音響再生システムの第４の実施の形態の概要の構成例を説明するための図である。
【図１８】第４の実施の形態の音響再生システムにおけるスピーカ配置例を説明するための図である。
【図１９】第４の実施の形態の音響再生システムにおける音声信号出力装置部の構成例を示すブロック図である。
【図２０】この発明による音響再生システムの一実施形態における他のスピーカ配置を説明するための図である。
【図２１】この発明による音響再生システムの一実施形態における他のスピーカ配置を説明するための図である。
【図２２】この発明による音響再生システムの一実施形態における他のスピーカ配置を説明するための図である。
【図２３】この発明による音響再生システムの一実施形態における他のスピーカ配置を説明するための図である。
【図２４】この発明による音響再生システムの一実施形態における他のスピーカ配置を説明するための図である。
【図２５】この発明による音響再生システムの一実施形態における他のスピーカ配置を説明するための図である。
【図２６】この発明による音響再生システムの一実施形態における他のスピーカ配置を説明するための図である。
【図２７】この発明による音響再生システムの一実施形態における他のスピーカ配置を説明するための図である。
【図２８】この発明による音響再生システムの一実施形態における他のスピーカ配置を説明するための図である。
【図２９】この発明による音響再生システムの一実施形態における他のスピーカ配置を説明するための図である。
【図３０】この発明による音響再生システムの一実施形態における他のスピーカ配置を説明するための図である。
【図３１】従来の音響再生システムにおける一般的なスピーカ配置例を説明するための図である。
【符号の説明】
【０２１９】
３…音声信号出力装置部、４…リスナ、１１ＦＬ…前方左チャンネル用のスピーカ、１１ＦＲ…前方右チャンネル用のスピーカ、１１Ｃ…センターチャンネル用のスピーカ、１１ＲＬ…後方左チャンネル用のスピーカ、１１ＲＬ…後方右チャンネル用のスピーカ、１１ＳＷ１〜１１ＳＷ４…リスナの耳の近傍に配置されるスピーカ、２０，７１，８７，８９…椅子、２２，７２，７３１，７３２，７４，７６，７７１，７７２，７８，８３，８５，８８…スピーカ保持具
【図１】
2006345480.tif 000003
【図２】
2006345480.tif 000004
【図３】
2006345480.tif 000005
【図４】
2006345480.tif 000006
【図５】
2006345480.tif 000007
【図６】
2006345480.tif 000008
【図７】
2006345480.tif 000009
【図８】
2006345480.tif 000010
【図９】
2006345480.tif 000011
【図１０】
2006345480.tif 000012
【図１１】
2006345480.tif 000013
【図１２】
2006345480.tif 000014
【図１３】
2006345480.tif 000015
【図１４】
2006345480.tif 000016
【図１５】
2006345480.tif 000017
【図１６】
2006345480.tif 000018
【図１７】
2006345480.tif 000019
【図１８】
2006345480.tif 000020
【図１９】
2006345480.tif 000021
【図２０】
2006345480.tif 000022
【図２１】
2006345480.tif 000023
【図２２】
2006345480.tif 000024
【図２３】
2006345480.tif 000025
【図２４】
2006345480.tif 000026
【図２５】
2006345480.tif 000027
【図２６】
2006345480.tif 000028
【図２７】
2006345480.tif 000029
【図２８】
2006345480.tif 000030
【図２９】
2006345480.tif 000031
【図３０】
2006345480.tif 000032
【図３１】
2006345480.tif 000033